(57)【要約】【課題】スイッチを確実に作動させることができる携帯電子機器のスイッチ作動用ゴムキーの保持構造を提供する。【解決手段】作動杆６ａがその周囲に形成されたヒンジ６ｂを介して固定部６ｃと一体となっているスイッチ作動用ゴムキー６の前記固定部６ｃがパネル１に固定されるガイド部５と前記パネル１に挾持されると共に前記作動杆６ａが前記ガイド部５の穴５ａに挿通することにより前記作動杆６ａの倒れが防止される。【選択図】図１
2008305694.tif 000002
【特許請求の範囲】
【請求項１】
作動杆がその周囲に形成されたヒンジを介して固定部と一体となっているスイッチ作動用ゴムキーの前記固定部がパネルに固定されるガイド部と前記パネルに挾持されると共に前記作動杆が前記ガイド部の穴に挿通することにより前記作動杆の倒れが防止されることを特徴とする携帯電子機器のスイッチ作動用ゴムキーの保持構造。
【請求項２】
前記ガイド部が前記パネルにねじで締着される請求項１の携帯電子機器のスイッチ作動用ゴムキーの保持構造。
【請求項３】
前記ガイド部が前記パネルに超音波溶着により固定される請求項１の携帯電子機器のスイッチ作動用ゴムキーの保持構造。
【請求項４】
前記ガイド部が前記パネルに設けられた樹脂ばねにより固定される請求項１の携帯電子機器のスイッチ作動用ゴムキーの保持構造。
【請求項５】
前記ガイド部が前記パネルにボンドにより固定される請求項１の携帯電子機器のスイッチ作動用ゴムキーの保持構造。
【請求項６】
前記スイッチ作動用ゴムキーの固定部に円筒形状部が形成されており、前記円筒形状部の外周面に設けられたリブが前記パネルに設けられた円筒形状部の内周面に圧接されることによりパネルの前記作動杆を挿通させる穴の防水機能が得られる請求項１から５のいずれかに記載された携帯電子機器のスイッチ作動用ゴムキーの保持構造。    
【請求項７】
前記スイッチ作動用ゴムキーの固定部に円筒形状部が形成されており、前記円筒形状部の内周面に設けられたリブが前記パネルに設けられた円筒形状部の外周面に圧接されることによりパネルの前記作動杆を挿通させる穴の防水機能が得られる請求項１から５のいずれかに記載された携帯電子機器のスイッチ作動用ゴムキーの保持構造。
【発明の詳細な説明】
【技術分野】
【０００１】
この発明は携帯電子機器のスイッチ作動用ゴムキーの保持構造に関する。
【背景技術】
【０００２】
従来の携帯電子機器のスイッチ作動用ゴムキーの保持構造の例を図７に示す。図に示す樹脂パネル１は穴１ａと穴１ａの周囲に内部方向に延びる円筒形状部１ｂを備えている。  樹脂パネル１の内部で樹脂パネル１に対して固定されるプリント基板２はスイッチ作動用ゴムキー７を樹脂パネル１との間でスイッチ作動用ゴムキー７を挾持して保持する。すなわち、プリント基板２はスイッチ作動用ゴムキー７の円筒状の固定部７ｃの下面を押し、樹脂パネル１の円筒形状部１ｂは円筒状の固定部７ｃの上面に設けられた円形の溝７ｄに嵌まり込んで固定部７ｃを下に押す。
【０００３】
この円筒形状部１ｂはスカート形状のヒンジ７ｂを介在した状態で棒状の作動杆７ａと一体となっており、作動杆７ａの上部を穴１ａから突出させ、また、作動杆７ａの下端をプリント基板２に実装されたタクトスイッチ３の作動部と近接または軽く接触する状態に保持している。作動杆７ａの上部を押し込むと、ヒンジ７ｂが変形して作動杆７ａが下動しタクトスイッチ３を作動させる。
【０００４】
上記したスイッチ作動用ゴムキーの保持構造では防水機能を得るために、樹脂パネル１の円筒形状部１ｂをスイッチ作動用ゴムキー７の固定部７ｃ上面の溝７ｄに押し込み固定部７ｃを下方向に加圧している。このため樹脂パネル１やプリント基板２が反ったりして円筒形状部１ｂのつぶし量が均一とならず、防水レベルをＩＰ−＊５レベル（ＪＩＳ保護等級５級）程度にしかできなかった。また、作動杆７ａの下部がガイドされていないため、作動杆７ａを偏って押したりすると、図８に示すように作動杆７ａが傾きタクトスイッチ３を押せないことがあった。
【０００５】
図９に示す携帯電子機器のスイッチ作動用ゴムキーの保持構造の他の例では、プリント基板２に導体パターン２ａ、２ａが近接して配置されており、その上方に作動杆７ａの下面に形成された導体膜７ｅが位置している。他の構成は図７で説明したものと同様であり、図７で示す対応する部材には同じ符号を付してある。この例では、作動杆７ａを押すことにより導体パターン２ａ、２ａが導体膜７ｅにより導通される。
【０００６】
この例でも、樹脂パネル１やプリント基板２が反ったりして円筒形状部１ｂのつぶし量が均一とならず、防水レベルをＩＰ−＊５レベル程度にしかできなかった。また、作動杆７ａの下部がガイドされていないため、作動杆７ａを偏って押したりすると、図１０に示すように作動杆７ａが傾き導体パターン２ａ、２ａを導通させることができないことがあった。
【０００７】
特開２００６−１３０９６号公報に開示された電子機器ケースの防水構造では、ケース（パネル）に設けられた円筒形状リブの先端がエラストマー部材（スイッチ作動用ゴムキーの固定部）の傾斜面に圧接される。この構造では円筒形状リブの先端がエラストマー部材を押す力は水平方向と垂直方向の分力を有し、エラストマー部材をケースとプリンと基板とで圧縮する圧縮力は小さくなるが、やはり、エラストマー部材をケースとプリンと基板とで押すため、ケースやプリンと基板が反り図７や図８で説明した従来の例と同様の問題があった。また、作動杆の下部がガイドされていないため、作動杆を偏って押したりすると、図１０に示すように、作動杆が傾きタクトスイッチ等を押せないことがあった。
【特許文献１】特開２００６−１３０９６号公報、段落００２７〜段落００４７、図１〜図７
【発明の開示】
【発明が解決しようとする課題】
【０００８】
この発明は上記した点に鑑みてなされたものであって、その目的とするところは、防水レベル高くすることができる携帯電子機器のスイッチ作動用ゴムキーの保持構造を提供することにある。
【０００９】
この発明の他の目的はスイッチを確実に作動させることができる携帯電子機器のスイッチ作動用ゴムキーの保持構造を提供することである。
【課題を解決するための手段】
【００１０】
この発明の携帯電子機器のスイッチ作動用ゴムキーの保持構造は、作動杆がその周囲に形成されたヒンジを介して固定部と一体となっているスイッチ作動用ゴムキーの前記固定部がパネルに固定されるガイド部と前記パネルに挾持されると共に前記作動杆が前記ガイド部の穴に挿通することにより前記作動杆の倒れが防止されるものである。
【００１１】
また、前記携帯電子機器のスイッチ作動用ゴムキーの保持構造において、前記ガイド部が前記パネルにねじで締着されるものある。
【００１２】
また、同携帯電子機器のスイッチ作動用ゴムキーの保持構造において、前記ガイド部が前記パネルに超音波溶着により固定されるものである。
【００１３】
また、同携帯電子機器のスイッチ作動用ゴムキーの保持構造において、前記ガイド部が前記パネルに設けられた樹脂ばねにより固定されるものである。
【００１４】
また、同携帯電子機器のスイッチ作動用ゴムキーの保持構造において、前記ガイド部が前記パネルにボンドにより固定されるものである。
【００１５】
また、前記各携帯電子機器のスイッチ作動用ゴムキーの保持構造において、前記スイッチ作動用ゴムキーの固定部に円筒形状部が形成されており、前記円筒形状部の外周面に設けられたリブが前記パネルに設けられた円筒形状部の内周面に圧接されることによりパネルの前記作動杆を挿通させる穴の防水機能が得られるものである。
【００１６】
また、前記各携帯電子機器のスイッチ作動用ゴムキーの保持構造において、前記スイッチ作動用ゴムキーの固定部に円筒形状部が形成されており、前記円筒形状部の内周面に設けられたリブが前記パネルに設けられた円筒形状部の外周面に圧接されることによりパネルの前記作動杆を挿通させる穴の防水機能が得られるものである。
【発明の効果】
【００１７】
この発明の携帯電子機器のスイッチ作動用ゴムキーの保持構造によれば、防水レベルを高くすることができる。
【００１８】
また、この発明の携帯電子機器のスイッチ作動用ゴムキーの保持構造によれば、スイッチを確実に作動させることができる。
【発明を実施するための最良の形態】
【００１９】
以下この発明を実施するための最良の形態を実施例に即して説明する。
【実施例１】
【００２０】
図１はこの発明の実施例１である携帯電子機器のスイッチ作動用ゴムキーの保持構造を示す断面図、図２は同携帯電子機器のスイッチ作動用ゴムキーの保持構造を図１における下方から見た部分斜視図である。
【００２１】
図１または図２に示すように、樹脂パネル１は穴１ａと穴１ａの周囲に内部方向に延びる円筒形状部１ｂを備えている。樹脂パネル１のボス１ｃ、１ｃのねじ穴にねじ込まれるねじ４、４により樹脂パネル１に締着されるガイド部５はスイッチ作動用ゴムキー６の固定部６ｃを樹脂パネル１との間で挾持してスイッチ作動用ゴムキー６を保持する。
【００２２】
スイッチ作動用ゴムキー６は作動杆６ａがヒンジ６ｂを介して固定部６ｃと一体に形成され、固定部６ｃの外周部には円筒形状部６ｄが形成されている。円筒形状部６ｄの外周面にはリブ６ｅがリング状に形成されている。スイッチ作動用ゴムキー６が上記のように保持された状態でリブ６ｅが樹脂パネル１の円筒形状部１ｂの内周面に圧接されて防水機能が得られる。
【００２３】
そして、スイッチ作動用ゴムキー６の作動杆６ａの上部は樹脂パネル１の穴１ａから突出し、作動杆６ａの下部はガイド部５の穴５ａを挿通しその下端がプリント基板２に実装されたタクトスイッチ３の作動部と近接している。作動杆６ａの上部を押し込むと、ヒンジ７ｂが変形して作動杆６ａが下動しタクトスイッチ３を作動させる。
【００２４】
上記したスイッチ作動用ゴムキーの保持構造では防水機能を得るために、樹脂パネル１とプリント基板２とでスイッチ作動用ゴムキー６を強く押すことがないので、樹脂パネル１やプリント基板２が反ってリブ６ｅのつぶし量が不均一となることがなく、ＩＰ−＊７レベル（ＪＩＳ保護等級７級）程度の防水機能が得られた。また、作動杆６ａの下部がガイドされているため、作動杆６ａを偏って押したりしても、作動杆６ａが傾くことがなく、確実にタクトスイッチ３を作動させることができる。
【実施例２】
【００２５】
図３はこの発明の実施例２である携帯電子機器のスイッチ作動用ゴムキーの保持構造を示す断面図である。この例では、樹脂パネル１に形成され先端にフックを有する樹脂ばね１ｄ、１ｄがガイド部５の穴に入り込むようにガイド部５を押し込むことによりガイド部５が樹脂パネル１に固定される。他の構成は実施例１と同様であり、実施例１と同様の機能を有する部材に同一の符号を付して詳細な説明を省略する。この例ではガイド部５を押し込むだけでガイド部５が樹脂パネル１に固定されるので組み立て工数が削減される。そして実施例１と同様の効果が得られる。
【実施例３】
【００２６】
図４はこの発明の実施例３である携帯電子機器のスイッチ作動用ゴムキーの保持構造を示す断面図である。この例では、樹脂パネル１の円筒形状部１ｂにガイド部５が超音波溶着で固定される。他の構成は実施例１と同様であり、実施例１と同様の機能を有する部材に同一の符号を付して詳細な説明を省略する。この例ではガイド部５超音波溶着で固定されるので組み立て工数が削減される。そして実施例１と同様の効果が得られる。
【実施例４】
【００２７】
図５はこの発明の実施例４である携帯電子機器のスイッチ作動用ゴムキーの保持構造を示す断面図である。この例では、樹脂パネル１の円筒形状部１ｂにガイド部５がボンド８で固定される。他の構成は実施例１と同様であり、実施例１と同様の機能を有する部材に同一の符号を付して詳細な説明を省略する。この例ではガイド部５をねじで固定する必要がないので組み立て工数が削減される。そして実施例１と同様の効果が得られる。
【実施例５】
【００２８】
図６はこの発明の実施例５である携帯電子機器のスイッチ作動用ゴムキーの保持構造を示す断面図である。この例では、スイッチ作動用ゴムキー６の円筒形状部６ｄの内側にリング状の空間が設けられており、この空間に樹脂パネル１の円筒形状部１ｂが圧入される。
【００２９】
そして、円筒形状部６ｄの内面に設けられたリブ６ｅが樹脂パネル１の円筒形状部１ｂの外周面に圧接される。他の構成は実施例１と同様であり、実施例１と同様の機能を有する部材に同一の符号を付して詳細な説明を省略する。
【００３０】
この例では樹脂パネル１の円筒形状部１ｂの厚さとスイッチ作動用ゴムキー６の円筒形状部６ｄの内側のリング状の空間間隔の寸法との差でリブ６ｅのつぶし量が決まるが、小さい寸法の差であるためリブ６ｅのつぶし量のばらつきが小さくなり、スイッチ作動用ゴムキー６の硬度および寸法を適切に設定することにより、防水性能をより高めることができる。
【００３１】
実施例は以上のように構成されているが発明はこれに限られず、例えば、タクトスイッチを用いることなく、プリント基板に設けた導体パターンをスイッチ作動用ゴムキーの作動杆に設けた導体膜で導通させるようにしてもよい。
【図面の簡単な説明】
【００３２】
【図１】この発明の実施例１である携帯電子機器のスイッチ作動用ゴムキーの保持構造を示す断面図である。
【図２】同携帯電子機器のスイッチ作動用ゴムキーの保持構造を示す部分斜視図である。
【図３】この発明の実施例２である携帯電子機器のスイッチ作動用ゴムキーの保持構造を示す断面図である。
【図４】この発明の実施例３である携帯電子機器のスイッチ作動用ゴムキーの保持構造を示す断面図である。
【図５】この発明の実施例４である携帯電子機器のスイッチ作動用ゴムキーの保持構造を示す断面図である。
【図６】この発明の実施例５である携帯電子機器のスイッチ作動用ゴムキーの保持構造を示す断面図である。
【図７】従来の携帯電子機器のスイッチ作動用ゴムキーの保持構造の例を示す断面図である。
【図８】同スイッチ作動用ゴムキーの保持構造の他の状態を示す断面図である。
【図９】従来の携帯電子機器のスイッチ作動用ゴムキーの保持構造の他の例を示す断面図である。
【図１０】同スイッチ作動用ゴムキーの保持構造の他の状態を示す断面図である。
【符号の説明】
【００３３】
１  樹脂パネル、１ａ  穴、１ｂ  円筒形状部、１ｃ  ボス、１ｄ  樹脂ばね
２  プリント基板、２ａ  導体パターン
３  タクトスイッチ
４  ねじ
５  ガイド部、５ａ  穴
６  スイッチ作動用ゴムキー、６ａ  作動杆、６ｂ  ヒンジ、６ｃ  固定部
６ｄ  円筒形状部、６ｅ  リブ
７  スイッチ作動用ゴムキー、７ａ  作動杆、７ｂ  ヒンジ、７ｃ  固定部
７ｄ  溝、７ｅ  導体膜
８  ボンド
【図１】
2008305694.tif 000003
【図２】
2008305694.tif 000004
【図３】
2008305694.tif 000005
【図４】
2008305694.tif 000006
【図５】
2008305694.tif 000007
【図６】
2008305694.tif 000008
【図７】
2008305694.tif 000009
【図８】
2008305694.tif 000010
【図９】
2008305694.tif 000011
【図１０】
2008305694.tif 000012